(57)【特許請求の範囲】
【請求項１】
パワーモジュール部、フィンベースおよび放熱フィンを有する半導体装置であって、
前記パワーモジュール部は、
モジュールベースと、
前記モジュールベースに搭載された電力半導体素子と、
前記電力半導体素子を封止するモールド樹脂と
を備え、
前記フィンベースは、
前記放熱フィンが装着される放熱拡散部と、
前記放熱拡散部に形成され、前記モジュールベースが接合されるベース部と
を備え、
前記放熱拡散部の断面積は、前記モジュールベースの断面積よりも大きく、
前記モジュールベースには、第１凹凸部が設けられ、
前記ベース部には、前記第１凹凸部と嵌合する第２凹凸部が設けられ、
前記第１凹凸部は第１方向に延在するように形成され、
前記第２凹凸部は前記第１方向に延在するように形成され、
前記第１凹凸部および前記第２凹凸部の少なくともいずれかには、不連続な部分が設けられた、半導体装置。
【請求項２】
パワーモジュール部、フィンベースおよび放熱フィンを有する半導体装置であって、
前記パワーモジュール部は、
モジュールベースと、
前記モジュールベースに搭載された電力半導体素子と、
前記電力半導体素子を封止するモールド樹脂と
を備え、
前記フィンベースは、
前記放熱フィンが装着される放熱拡散部と、
前記放熱拡散部に形成され、前記モジュールベースが接合されるベース部と
を備え、
前記放熱拡散部の断面積は、前記モジュールベースの断面積よりも大きく、
前記放熱拡散部における前記ベース部が形成されている第１表面側では、前記ベース部が形成されている領域以外の領域に、厚みを有して延在する変形防止部が形成された、半導体装置。
【請求項３】
パワーモジュール部、フィンベースおよび放熱フィンを有する半導体装置であって、
前記パワーモジュール部は、
モジュールベースと、
前記モジュールベースに搭載された電力半導体素子と、
前記電力半導体素子を封止するモールド樹脂と
を備え、
前記フィンベースは、
前記放熱フィンが装着される放熱拡散部と、
前記放熱拡散部に形成され、前記モジュールベースが接合されるベース部と
を備え、
前記放熱拡散部の断面積は、前記モジュールベースの断面積よりも大きく、
前記放熱拡散部における前記放熱フィンが装着される第２表面側では、前記放熱フィンを装着させるかしめ部が形成され、
前記かしめ部は第２方向に延在するように形成された、半導体装置。
【請求項４】
パワーモジュール部、フィンベースおよび放熱フィンを有する半導体装置であって、
前記パワーモジュール部は、
モジュールベースと、
前記モジュールベースに搭載された電力半導体素子と、
前記電力半導体素子を封止するモールド樹脂と
を備え、
前記フィンベースは、
前記放熱フィンが装着される放熱拡散部と、
前記放熱拡散部に形成され、前記モジュールベースが接合されるベース部と
を備え、
前記放熱拡散部の断面積は、前記モジュールベースの断面積よりも大きく、
前記放熱拡散部における前記放熱フィンが装着される第２表面側では、前記放熱フィンを装着させるかしめ部が形成され、
前記放熱拡散部における前記第２表面側では、互いに間隔を隔てて一の凸壁部と他の凸壁部とが形成され、
前記一の凸壁部と前記他の凸壁部とによって挟まれた領域では、前記かしめ部は、前記領域の一部を除く態様で形成された、半導体装置。
【請求項５】
前記フィンベースでは、
前記ベース部は第１厚さを有し、
前記放熱拡散部は第２厚さを有し、
前記第２厚さは前記第１厚さよりも厚い、請求項１〜４のいずれか１項に記載の半導体装置。
【請求項６】
前記放熱拡散部における前記放熱フィンが装着される第２表面側では、前記放熱フィンを装着させるかしめ部が形成された、請求項１または２に記載の半導体装置。
【請求項７】
前記モジュールベースの前記第１凹凸部と、前記ベース部の前記第２凹凸部との間に、熱伝導性接着剤および熱伝導性グリスのいずれかを介在させた、請求項１記載の半導体装置。
【請求項８】
前記モジュールベースと前記ベース部との間に、熱伝導性接着剤および熱伝導性グリスのいずれかを介在させた、請求項１〜４のいずれか１項に記載の半導体装置。
【請求項９】
モジュールベースに電力半導体素子を搭載し、前記電力半導体素子が搭載されている側とは反対側の前記モジュールベースの部分を露出させる態様で前記電力半導体素子をモールド樹脂によって封止したパワーモジュール部を形成する工程と、
かしめ部および放熱フィン挿入溝が形成された放熱拡散部と、前記かしめ部および前記放熱フィン挿入溝が形成されている側とは反対側の前記放熱拡散部の部分に形成されたベース部と、を有するフィンベースを用意する工程と、
露出している前記モジュールベースの部分と、前記フィンベースの前記ベース部とが対向する位置に、前記パワーモジュール部および前記フィンベースを配置するとともに、複数の放熱フィンを対応する前記放熱フィン挿入溝に配置する工程と、
かしめ治具を前記かしめ部に接触させ、前記パワーモジュール部を前記フィンベースに向けて押圧することにより、露出している前記モジュールベースの部分と、前記フィンベースの前記ベース部とを接合し、前記かしめ部をかしめて前記複数の放熱フィンを前記放熱拡散部に装着させて、前記パワーモジュール部、前記フィンベースおよび前記複数の放熱フィンを一体化する工程と
を備えた、半導体装置の製造方法。
【請求項１０】
前記パワーモジュール部を形成する工程では、前記モジュールベースとして、露出する前記モジュールベースの部分に第１凹凸部が形成されたモジュールベースが用いられ、
前記フィンベースを用意する工程では、前記フィンベースとして、前記ベース部に第２凹凸部が形成されたフィンベースが用いられ、
前記パワーモジュール部、前記フィンベースおよび前記複数の放熱フィンを一体化する工程では、前記第１凹凸部を前記第２凹凸部に嵌合させることによって、前記パワーモジュール部と前記フィンベースとが接合される、請求項９記載の半導体装置の製造方法。
【請求項１１】
前記パワーモジュール部、前記フィンベースおよび前記複数の放熱フィンを一体化する工程は、
前記モジュールベースの部分を第１クランプ治具によって挟み込むように保持するとともに、前記フィンベースの前記ベース部を第２クランプ治具によって挟み込むように保持する工程と、
前記モジュールベースの部分を前記第１クランプ治具によって保持するとともに、前記フィンベースの前記ベース部を前記第２クランプ治具によって保持した状態で、前記モジュールベースの部分と、前記フィンベースの前記ベース部とを接合する工程と
を含む、請求項９記載の半導体装置の製造方法。
【請求項１２】
前記パワーモジュール部、前記フィンベースおよび前記複数の放熱フィンを一体化する工程では、前記第１凹凸部および前記第２凹凸部との間に、熱伝導性接着剤および熱伝導性グリスのいずれか一方を介在させて一体化される、請求項１０記載の半導体装置の製造方法。
【請求項１３】
前記パワーモジュール部、前記フィンベースおよび前記複数の放熱フィンを一体化する工程では、前記放熱拡散部を支持する支持機構を、前記パワーモジュール部の側から前記放熱拡散部へ当接させた状態で押圧される、請求項９記載の半導体装置の製造方法。
【請求項１４】
前記フィンベースを用意する工程は、
前記フィンベースとして、前記放熱拡散部に、第１高さを有する前記かしめ部よりも高い第２高さを有する凸壁部が形成されたフィンベースを用意する工程と、
前記凸壁部に加工を行うことにより、前記凸壁部の前記第２高さを前記第１高さに揃える工程と
を含む、請求項９記載の半導体装置の製造方法。
【請求項１５】
前記パワーモジュール部、前記フィンベースおよび前記複数の放熱フィンを一体化する工程では、露出している前記モジュールベースの部分と、前記フィンベースの前記ベース部との間に、熱伝導性接着剤および熱伝導性グリスのいずれか一方を介在させて一体化される、請求項９記載の半導体装置の製造方法。
【発明の詳細な説明】
【技術分野】
【０００１】
本発明は、半導体装置およびその製造方法に関し、特に、電力半導体素子を搭載した半導体装置と、その半導体装置の製造方法とに関するものである。
【背景技術】
【０００２】
電力半導体素子を搭載したパワーモジュールとしての半導体装置では、電力半導体素子等において発生する熱を、効率的に放熱させるために、放熱フィンを備えたヒートシンク一体型の半導体装置がある。このような半導体装置を開示した特許文献として、たとえば、特許文献１、特許文献２および特許文献３がある。【０００３】
この種の半導体装置では、ベース板の一方の面に電力半導体素子が搭載されて、その電力半導体素子がモールド樹脂によって封止されている。ベース板の他方の面には、電力半導体素子から発生した熱を放熱させる複数の放熱フィンが装着されている。
【先行技術文献】
【特許文献】
【０００４】
【特許文献１】特許第５２３６１２７号
【特許文献２】特開２０１２−４９１６７号公報
【特許文献３】国際公開ＷＯ２０１１/０６１７７９号
【発明の概要】
【発明が解決しようとする課題】
【０００５】
半導体装置では、使用される用途に応じた電力半導体素子がベース板に搭載される。ここで、たとえば、発熱量が比較的多い電力半導体素子が搭載された半導体装置では、熱を効率的に放熱させるために、サイズがより大きな放熱フィンがベース板に装着されることになる。また、ベース板に装着させる放熱フィンの枚数が増やされることになる。【０００６】
このため、電力半導体素子が搭載されるベース板としては、発熱量に応じた放熱フィン（サイズ、枚数等）が装着されるベース板が必要とされており、そのベース板に応じて、パワーモジュールとしての半導体装置が製造されている。【０００７】
本発明は、この種の半導体装置の開発の一環としてなされたものであり、一つの目的は、さらなる生産性の向上が図られる半導体装置を提供することであり、他の目的は、そのような半導体装置の製造方法を提供することである。
【課題を解決するための手段】
【０００８】
本発明に係る一の半導体装置は、パワーモジュール部、フィンベースおよび放熱フィンを有する半導体装置である。パワーモジュール部は、モジュールベースと電力半導体素子とモールド樹脂とを備えている。電力半導体素子は、モジュールベースに搭載されている。モールド樹脂は、電力半導体素子を封止する。フィンベースは、放熱拡散部とベース部とを備えている。放熱拡散部には、放熱フィンが装着される。ベース部は、放熱拡散部に形成され、モジュールベースが接合される。放熱拡散部の断面積は、モジュールベースの断面積よりも大きい。放熱拡散部における放熱フィンが装着される第２表面側では、放熱フィンを装着させるかしめ部が形成されている。放熱拡散部における第２表面側では、互いに間隔を隔てて一の凸壁部と他の凸壁部とが形成されている。一の凸壁部と他の凸壁部とによって挟まれた領域では、かしめ部は、領域の一部を除く態様で形成されている。
本発明に係る他の半導体装置は、パワーモジュール部、フィンベースおよび放熱フィンを有する半導体装置である。パワーモジュール部は、モジュールベースと電力半導体素子とモールド樹脂とを備えている。電力半導体素子は、モジュールベースに搭載されている。モールド樹脂は、電力半導体素子を封止する。フィンベースは、放熱拡散部とベース部とを備えている。放熱拡散部には、放熱フィンが装着される。ベース部は、放熱拡散部に形成され、モジュールベースが接合される。放熱拡散部の断面積は、モジュールベースの断面積よりも大きい。放熱拡散部におけるベース部が形成されている第１表面側では、ベース部が形成されている領域以外の領域に、厚みを有して延在する変形防止部が形成されている。
本発明に係るさらに他の半導体装置は、パワーモジュール部、フィンベースおよび放熱フィンを有する半導体装置である。パワーモジュール部は、モジュールベースと電力半導体素子とモールド樹脂とを備えている。電力半導体素子は、モジュールベースに搭載されている。モールド樹脂は、電力半導体素子を封止する。フィンベースは、放熱拡散部とベース部とを備えている。放熱拡散部には、放熱フィンが装着される。ベース部は、放熱拡散部に形成され、モジュールベースが接合される。放熱拡散部の断面積は、モジュールベースの断面積よりも大きい。放熱拡散部における放熱フィンが装着される第２表面側では、放熱フィンを装着させるかしめ部が形成されている。かしめ部は第２方向に延在するように形成されている。
本発明に係るさらに他の半導体装置は、パワーモジュール部、フィンベースおよび放熱フィンを有する半導体装置である。パワーモジュール部は、モジュールベースと電力半導体素子とモールド樹脂とを備えている。電力半導体素子は、モジュールベースに搭載されている。モールド樹脂は、電力半導体素子を封止する。フィンベースは、放熱拡散部とベース部とを備えている。放熱拡散部には、放熱フィンが装着される。ベース部は、放熱拡散部に形成され、モジュールベースが接合される。放熱拡散部の断面積は、モジュールベースの断面積よりも大きい。放熱拡散部における放熱フィンが装着される第２表面側では、放熱フィンを装着させるかしめ部が形成されている。放熱拡散部における第２表面側では、互いに間隔を隔てて一の凸壁部と他の凸壁部とが形成されている。一の凸壁部と他の凸壁部とによって挟まれた領域では、かしめ部は、領域の一部を除く態様で形成されている。
【０００９】
本発明に係る半導体装置の製造方法は、以下の工程を備えている。モジュールベースに電力半導体素子を搭載し、電力半導体素子が搭載されている側とは反対側のモジュールベースの部分を露出させる態様で電力半導体素子をモールド樹脂によって封止したパワーモジュール部を形成する。かしめ部および放熱フィン挿入溝が形成された放熱拡散部と、かしめ部および放熱フィン挿入溝が形成されている側とは反対側の放熱拡散部の部分に形成されたベース部と、を有するフィンベースを用意する。露出しているモジュールベースの部分と、フィンベースのベース部とが対向する位置に、パワーモジュール部およびフィンベースを配置するとともに、複数の放熱フィンを対応する放熱フィン挿入溝に配置する。かしめ治具をかしめ部に接触させ、パワーモジュール部をフィンベースに向けて押圧することにより、露出しているモジュールベースの部分と、フィンベースのベース部とを接合し、かしめ部をかしめて複数の放熱フィンを放熱拡散部に装着させて、パワーモジュール部、フィンベースおよび複数の放熱フィンを一体化する。
【発明の効果】
【００１０】
本発明に係る半導体装置によれば、電力半導体素子が搭載されたパワーモジュール部と、放熱フィンが装着されるフィンベースとが別体とされることで、半導体装置の生産性を向上させることができる。【００１１】
本発明に係る半導体装置の製造方法によれば、電力半導体素子が搭載されるパワーモジュール部と、放熱フィンが装着されるフィンベースとを個々に製造することで、モジュールベースを共用することができ、半導体装置の生産性の向上に寄与することができる。
【図面の簡単な説明】
【００１２】
【図１】実施の形態１に係る半導体装置の、一部断面を含む分解側面図である。
【図２】同実施の形態において、図１に示す半導体装置におけるパワーモジュール部の上面図である。
【図３】同実施の形態において、図１に示す半導体装置におけるパワーモジュール部の下面図である。
【図４】同実施の形態において、パワーモジュール部を説明するための第１の断面図である。
【図５】同実施の形態において、パワーモジュール部を説明するための第２の断面図である。
【図６】同実施の形態において、モジュールベースを説明するための第１の断面図である。
【図７】同実施の形態において、モジュールベースを説明するための第２の断面図である。
【図８】第１比較例に係るモジュールベースを説明するための断面図である。
【図９】第２比較例に係るモジュールベースを説明するための断面図である。
【図１０】同実施の形態において、図１に示す半導体装置におけるフィンベースの上面図である。
【図１１】第３比較例に係る半導体装置を説明するための、一体化する前の状態を示す一部断面を含む側面図である。
【図１２】第３比較例に係る半導体装置を説明するための、一体化した後の状態を示す一部断面を含む側面図である。
【図１３】同実施の形態において、半導体装置を説明するための、一体化する前の状態を示す一部断面を含む側面図である。
【図１４】同実施の形態において、半導体装置を説明するための、一体化した後の状態を示す一部断面を含む側面図である。
【図１５】同実施の形態において、図１に示す半導体装置におけるフィンベースの下面図である。
【図１６】同実施の形態において、半導体装置の製造方法の一工程を示す、一部断面を含む側面図である。
【図１７】同実施の形態において、図１６に示す工程の後に行われる工程を示す、一部断面を含む側面図である。
【図１８】同実施の形態において、図１７に示す工程の後に行われる工程を示す、一部断面を含む側面図である。
【図１９】第３比較例に係る半導体装置の製造方法の一工程を示す、一部断面を含む側面図である。
【図２０】図１９に示す工程の後に行われる工程を示す、一部断面を含む側面図である。
【図２１】図２０に示す工程の後に行われる工程を示す、一部断面を含む側面図である。
【図２２】第３比較例に係る半導体装置の問題点を説明するための、一部断面を含む第１の側面図である。
【図２３】第３比較例に係る半導体装置の問題点を説明するための、一部断面を含む第２の側面図である。
【図２４】同実施の形態において、半導体装置の効果を説明するための、一部断面を含む第１の側面図である。
【図２５】同実施の形態において、半導体装置の効果を説明するための、一部断面を含む第２の側面図である。
【図２６】第４比較例に係る半導体装置の、一部断面を含む側面図である。
【図２７】同実施の形態において、図１に示す半導体装置による効果を説明するための図である。
【図２８】同実施の形態において、半導体装置を固定用シャーシに固定した状態の一例を示す、一部断面を含む側面図である。
【図２９】同実施の形態において、半導体装置における放熱拡散部を説明するための、一部断面を含む第１の側面図である。
【図３０】同実施の形態において、半導体装置における放熱拡散部を説明するための、一部断面を含む第２の側面図である。
【図３１】同実施の形態において、第１変形例に係る半導体装置におけるフィンベースの上面図である。
【図３２】同実施の形態において、第１変形例に係る半導体装置におけるフィンベースの下面図である。
【図３３】同実施の形態において、第２変形例に係る半導体装置におけるパワーモジュール部の上面図である。
【図３４】同実施の形態において、第２変形例に係る半導体装置におけるパワーモジュール部の下面図である。
【図３５】同実施の形態において、第２変形例に係る半導体装置におけるフィンベースの上面図である。
【図３６】同実施の形態において、第２変形例に係る半導体装置におけるフィンベースの下面図である。
【図３７】同実施の形態において、第３変形例に係る半導体装置の、一部断面を含む分解側面図である。
【図３８】同実施の形態において、第３変形例に係る半導体装置の製造方法の一工程を示す、一部断面を含む側面図である。
【図３９】同実施の形態において、第４変形例に係る半導体装置の、一部断面を含む分解側面図である。
【図４０】同実施の形態において、第５変形例に係る半導体装置の、一部断面を含む分解側面図である。
【図４１】同実施の形態において、第６変形例に係る半導体装置の、一部断面を含む分解側面図である。
【図４２】同実施の形態において、第６変形例に係る半導体装置におけるフィンベースの上面図である。
【図４３】同実施の形態において、第６変形例に係る半導体装置におけるフィンベースの下面図である。
【図４４】同実施の形態において、第７変形例に係る半導体装置の、一部断面を含む分解側面図である。
【図４５】同実施の形態にいて、フィンベースおよび放熱フィンの材料と引張強度との関係を示す図である。
【図４６】実施の形態２に係る半導体装置の、一部断面を含む分解側面図である。
【図４７】同実施の形態において、半導体装置の製造方法の一工程を示す、一部断面を含む側面図である。
【図４８】同実施の形態において、図４７に示す工程の後に行われる工程を示す、一部断面を含む側面図である。
【図４９】同実施の形態において、図４８に示す工程の後に行われる工程を示す、一部断面を含む側面図である。
【図５０】第５比較例に係る半導体装置の問題点を説明するための、一部断面を含む分解側面図である。
【図５１】第５比較例に係る半導体装置の問題点を説明するための、半導体装置の製造方法の一工程を示す、一部断面を含む側面図である。
【図５２】第５比較例に係る半導体装置の問題点を説明するための、図５１に示す工程の後に行われる工程を示す、一部断面を含む側面図である。
【図５３】第５比較例に係る半導体装置の問題点を説明するための、一部断面を含む部分側面図である。
【図５４】同実施の形態において、第１変形例に係る半導体装置の、一部断面を含む分解側面図である。
【図５５】同実施の形態において、図５４に示す半導体装置におけるフィンベースの上面図である。
【図５６】同実施の形態において、図５４に示す半導体装置におけるフィンベースの下面図である。
【図５７】同実施の形態において、第１変形例に係る半導体装置の製造方法の一工程を示す、一部断面を含む側面図である。
【図５８】同実施の形態において、第２変形例に係る半導体装置におけるフィンベースの上面図である。
【図５９】同実施の形態において、第２変形例に係る半導体装置におけるフィンベースの下面図である。
【図６０】同実施の形態において、第２変形例に係る半導体装置の製造方法の一工程を示す、一部断面を含む側面図である。
【図６１】同実施の形態において、第３変形例に係る半導体装置のフィンベースを示す平面図である。
【図６２】同実施の形態において、第４変形例に係る半導体装置を説明するための、一部断面を含む側面図である。
【図６３】同実施の形態において、第４変形例に係る半導体装置の製造方法の一工程を示す、一部断面を含む側面図である。
【図６４】同実施の形態において、図６３に示す工程の後に行われる工程を示す、一部断面を含む側面図である。
【図６５】同実施の形態において、図６４に示す工程の後に行われる工程を示す、一部断面を含む側面図である。
【図６６】同実施の形態において、図６５に示す工程の後に行われる工程を示す、一部断面を含む側面図である。
【図６７】実施の形態３に係る半導体装置の、一部断面を含む分解側面図である。
【図６８】同実施の形態において、変形例に係る半導体装置の、一部断面を含む分解側面図である。
【発明を実施するための形態】
【００１３】
実施の形態１．
実施の形態１に係る半導体装置について説明する。図１に、半導体装置の一部断面を含む分解側面図を示す。図１に示すように、半導体装置１は、パワーモジュール部１１、フィンベース５１および複数の放熱フィン８１を備えている。
【００１４】
パワーモジュール部１１に形成されている凹凸部１５が、フィンベース５１に形成されている凹凸部５５に嵌合することによって、パワーモジュール部１１とフィンベース５１とが接合されて、一体化されている。
【００１５】
パワーモジュール部１１では、モジュールベース１３の一方の表面に、電力半導体素子が形成されたチップ２７が搭載されている。モジュールベース１３の一方の表面には、絶縁シート２１を介在させてリードフレーム２３が配置されている。チップ２７は、はんだ２５によって、リードフレーム２３に接合されている。
【００１６】
さらに、図２および図３に示すように、チップ２７等は、モールド樹脂２９によって封止されている。モールド樹脂２９の側面から、リードフレーム２３の一部が外部端子として突出している。一方、モジュールベース１３の他方の表面は露出している。露出したモジュールベース１３の表面には、凹凸部１５が形成されている。凹凸部１５の凹部１５ａは、たとえば、Ｙ軸方向に沿って延在している。なお、凹凸部１５とは、凹部１５ａを含むモジュールベース１３の表面全体の形状を意味する。
【００１７】
モジュールベース１３の表面に形成された凹凸部について説明する。図４に、凹部１５ａを含む凹凸部１５が形成されているモジュールベース１３を示す。凹部１５ａと凹部１５ａとの間には平坦部分が形成されている。図５に、凸部１７ａを含む凹凸部１７が形成されているモジュールベース１３を示す。凸部１７ａの頂部には、平坦部分が形成されている。
【００１８】
モジュールベース１３に凹凸部１５が形成されている場合と、モジュールベース１３に凹凸部１７が形成されている場合とでは、いずれも、生産性を向上させることができる。モジュールベース１３に凹凸部１５が形成されている場合の方が、モジュールベース１３に凹凸部１７が形成されている場合よりも生産性をより向上させることができる。これについて説明する。
【００１９】
絶縁シートをモジュールベースに仮貼付けする工程では、その準備工程として、モジュールベースをある一定の温度にまで加温させる必要がある。また、チップおよびリードフレーム等をモールド樹脂によって封止する工程でも、その準備工程として、モジュールベースをある一定の温度にまで加温させる必要がある。
【００２０】
このとき、図６に示すように、モジュールベース１３に凹凸部１５が形成されている場合では、モジュールベース１３における凹部１５ａ以外の部分がヒートブロック９８に接触することになる。一方、図７に示すように、モジュールベース１３に凹凸部１７が形成されている場合では、モジュールベース１３における凸部１７ａがヒートブロック９８に接触することになる。
【００２１】
ここで、モジュールベース１３とヒートブロック９８との接触面積を比較すると、凹凸部１５が形成されているモジュールベース１３の場合の方が、凹凸部１７が形成されているモジュールベース１３の場合よりも、接触面積は大きくなる。つまり、凹部１５ａと凹部１５ａとの間に形成されている平坦部分１５ｆの面積が、凸部１７ａの頂部に形成されている平坦部分１７ｆの面積よりも大きい。これにより、凹凸部１５が形成されているモジュールベース１３の場合の方が、モジュールベース１３をある一定の温度まで加温する予熱時間を短く設定することができる。その結果、凹凸部１５が形成されているモジュールベース１３の場合の方が、生産性はより高くなる。
【００２２】
さらに、比較例に係る半導体装置と比べる。図８に、第１比較例として、凹凸部１５が形成されているモジュールベース１３を示す。第１比較例では、放熱部材（図示せず）に設けられた凹凸と嵌合させるために、凹部１５ａと凹部１５ａとの間には実質的な平坦部分は形成されていない。このため、第１比較例では、モジュールベース１３とヒートブロック９８との接触面積は小さい。したがって、第１比較例では、モジュールベース１３をある一定の温度まで加温する予熱時間を長く設定する必要がある。
【００２３】
図９に、第２比較例として、凹凸部１７が形成されているモジュールベース１３を示す。第２比較例では、放熱部材（図示せず）に設けられた凹凸と嵌合させるために、凸部１７ａの頂部には実質的な平坦部分は形成されていない。このため、第２比較例でも、モジュールベース１３とヒートブロック９８との接触面積は小さい。したがって、第２比較例では、モジュールベース１３をある一定の温度まで加温する予熱時間を長く設定する必要がある。
【００２４】
第１比較例および第２比較例に対して、実施の形態に係る半導体装置では、モジュールベース１３の凹凸部１５、１７に設けられた平坦部分によって、モジュールベース１３とヒートブロック９８との接触面積を大きくすることができる。その結果、生産性の向上に寄与することができると考えられる。
【００２５】
そのモジュールベース１３では、厚さ（Ｚ方向）は薄いほど望ましい。ところが、モールド成型時に成型圧が作用するため、モジュールベース１３の厚さが薄いと、モジュールベース１３が変形することが想定される。このような変形を避けるためには、モジュールベース１３の厚さとしては、たとえば、１．５〜１５ｍｍ程度であることが望ましく、３．０〜８．０ｍｍ程度であることがより望ましい。
【００２６】
フィンベース５１は、放熱拡散部６１とベース部５３とにより構成される。放熱拡散部６１とベース部５３は、それぞれ厚みを有している。さらに、図１０に示すように、ベース部５３は、放熱拡散部６１の一方の表面側に形成されている。ベース部５３の表面には、凹凸部５５が形成されている。凹凸部５５の凸部５５ａは、たとえば、Ｙ軸方向に沿って延在している。なお、凹凸部５５とは、凸部５５ａを含む放熱拡散部６１の一方の表面の全体の形状を意味する。
【００２７】
ここで、モジュールベース１３の幅（Ｘ方向）と奥行（Ｙ方向）との積を、モジュールベース１３の断面積とする。また、放熱拡散部６１の幅（Ｘ方向）と奥行（Ｙ方向）との積を、放熱拡散部６１の断面積とする。そうすると、放熱性能を向上させるには、放熱拡散部６１の断面積は、モジュールベース１３の断面積よりも大きいことが望ましい。また、パワーモジュールを共通化して生産性をより向上させるには、放熱拡散部６１の断面積は、モジュールベース１３の断面積よりも大きいことが望ましい。なお、この断面積の関係を満たす必要は必ずしもなく、所望の生産性の向上を図ることができる。
【００２８】
次に、フィンベース５１をベース部５３と放熱拡散部６１との２段構造とする設計上の優位性について説明する。図１１および図１２に、第３比較例として、ベース部が形成されていない１段構造のフィンベース３５１を備えた半導体装置を示す。図１１では、パワーモジュール部３１１とフィンベース３５１とを一体化する前の状態が示されている。図１２では、パワーモジュール部３１１とフィンベース３５１とが一体化された後の状態が示されている。
【００２９】
パワーモジュール部３１１とフィンベース３５１とが一体化された状態では、導体であるリードフレーム２３とフィンベース３５１の放熱拡散部３６１との間隔として、所望の絶縁距離Ｌが確保されている必要がある。このため、第３比較例では、パワーモジュール部３１１のモジュールベース３１３は、その絶縁距離に相当する厚さを有している必要がある。ところが、モジュールベース３１３の厚さが厚くなると熱容量が大きくなる。そうすると、上述したモジュールベース３１３をある一定の温度まで加温する予熱時間が長くなってしまい、生産性が低下することになる。
【００３０】
一方、図１３および図１４に、２段構造のフィンベース５１を備えた半導体装置を示す。図１３では、パワーモジュール部１１とフィンベース５１とを一体化する前の状態が示されている。図１４では、パワーモジュール部１１とフィンベース５１とが一体化された後の状態が示されている。この場合には、パワーモジュール部１１のモジュールベース１３の厚さと、フィンベース５１のベース部５３の厚さとを併せた厚さが、絶縁距離Ｌに相当する厚さとなればよい。
【００３１】
このため、モジュールベース１３の厚さは、第３比較例に係るモジュールベース３１３の厚さよりも薄くすることができる。これにより、モジュールベース１３をある一定の温度まで加温する予熱時間はより短くなり、生産性の向上に寄与することができる。なお、モジュールベース１３とフィンベース５１のベース部５３とを一体化する際のベース部５３の優位性については、後述する。
【００３２】
フィンベース５１のベース部５３の厚さは、薄いほど望ましいが、絶縁距離を確保するために、ベース部５３の厚さは１．５〜１５ｍｍ程度であることが望ましく、３．０〜８．０ｍｍ程度であることがより望ましい。
【００３３】
フィンベース５１の放熱拡散部６１の厚さは薄いほど望ましい。しかしながら、モジュールベース１３とフィンベース５１のベース部５３を一体化させる際に、放熱拡散部６１が塑性変形を起こしてしまうことが想定される。このため、放熱拡散部６１の厚さは３．０〜３０ｍｍ程度であることが望ましく、６．０〜１６．０ｍｍ程度であることがより望ましい。
【００３４】
さらに、図１５に示すように、放熱拡散部６１の他方の表面には、複数のかしめ部６５と複数の凸壁部６３とが形成されている。複数のかしめ部６５のそれぞれは、たとえば、Ｙ軸方向に沿って延在し、Ｘ軸方向に沿って互いに間隔を隔てられている。かしめ部６５とかしめ部６５との間にはフィン挿入溝６７が形成されている。一番外側（Ｘ軸正方向と負方向）に位置するかしめ部６５では、凸壁部６３との間にフィン挿入溝６７が形成される。
【００３５】
後述するように、フィンベース５１には、フィン挿入溝６７のそれぞれに放熱フィン８１を挿入した状態で、かしめ部６５をかしめることによって、複数の放熱フィン８１が、放熱拡散部６１に一体的に装着されて、ヒートシンク一体型の半導体装置が構成される。
【００３６】
次に、上述した半導体装置の製造方法の一例について説明する。まず、電力半導体素子が形成されたチップ２７をモジュールベース１３に搭載し、モールド樹脂２９によって封止することによってパワーモジュール部１１を形成する（図１６参照）。
【００３７】
一方、チップ２７から発生する発熱量（発熱密度）に応じたサイズを有するフィンベース５１を用意する。また、その発熱量に応じたサイズまたは枚数の放熱フィン８１を用意する（図１６参照）。
【００３８】
次に、図１６に示すように、パワーモジュール部１１のモジュールベース１３の凹凸部１５と、フィンベース５１のベース部の凹凸部５５とが互いに対向するように、パワーモジュール部１１とフィンベース５１とを配置する。また、フィンベース５１の放熱拡散部６１における各フィン挿入溝６７に、放熱フィン８１を挿通する。
【００３９】
次に、図１７に示すように、複数の放熱フィン８１における放熱フィン８１と放熱フィン８１との間に、プレス刃９７を挿入し、かしめ部６５に接触させる。次に、パワーモジュール部１１を上方から押圧する（矢印参照）。図１８に示すように、パワーモジュール部１１が押圧されることで、パワーモジュール部１１の凹凸部１５（凹部１５ａ）とフィンベース５１のベース部５３の凹凸部５５（凸部５５ａ）とが嵌合し、パワーモジュール部１１がフィンベース５１に接合される。
【００４０】
ここで、半導体装置の製造工程の観点から、ベース部５３と放熱拡散部６１との２段構造としたフィンベース５１の優位性について説明する。
【００４１】
まず、上述した第３比較例に係る半導体装置について説明する。図１９、図２０および図２１に、製造工程の一例を示す。図１９では、パワーモジュール部３１１とフィンベース３５１とを一体化する前の状態が示されている。パワーモジュール部３１１のモジュールベース３１３が、第１クランプ治具９９ａによって挟み込まれるように保持されている。フィンベース３５１の放熱拡散部３６１が、第２クランプ治具９９ｂによって挟み込まれるように保持されている。
【００４２】
図２０では、パワーモジュール部３１１とフィンベース３５１とを一体化した状態が示されている。第１クランプ治具９９ａによって保持されたモジュールベース３１３を、第２クランプ治具９９ｂによって保持された放熱拡散部３６１に向けて加圧することにより、モジュールベース３１３と放熱拡散部３６１とがかしめられる。図２１では、放熱フィン８１とフィンベース３５１とを一体化した状態が示されている。放熱フィン８１は、フィンベース３５１にかしめられている。
【００４３】
この第３比較例において想定される問題点を、図２２および図２３に示す。図２２に示すように、パワーモジュール部３１１とフィンベース３５１とを一体化する際には、パワーモジュール部３１１が放熱拡散部３６１に向けて加圧される。このとき、放熱拡散部３６１を保持する第２クランプ治具９９ｂの位置（Ｘ方向）から、パワーモジュール部３１１のモジュールベース３１３を保持する第１クランプ治具９９ａの位置（Ｘ方向）までは、距離Ｍ分離れている。
【００４４】
このため、放熱拡散部３６１では、第２クランプ治具９９ｂが支持する位置（支点）から、距離Ｍ離れた第１クランプ治具９９ａが支持する位置（力点）に加圧力が作用することになる。これにより、パワーモジュール部３１１に作用する加圧力によってフィンベース３５１にかかるモーメントが大きくなる。その結果、図２３に示すように、フィンベース３５１が塑性変形を起こしてしまうことが想定される。
【００４５】
第３比較例に対して、実施の形態に係る半導体装置では、フィンベース５１は、放熱拡散部６１とベース部５３とを有する。図２４に示すように、ベース部５３のサイズは、モジュールベース１３のサイズに対応している。このため、ベース部５３を保持する第２クランプ治具９９ｂの位置（Ｘ方向）と、加圧力が作用するパワーモジュール部１１のモジュールベース１３を保持する第１クランプ治具９９ａの位置（Ｘ方向）との距離は短くなる。これにより、パワーモジュール部１１を加圧する際に、フィンベース５１が塑性変形するのを抑制することができる。
【００４６】
なお、パワーモジュール部１１、フィンベース５１および放熱フィン８１を一体化する方法として、以下の３つの方法がある。第１の方法として、パワーモジュール部１１とフィンベース５１とを一体化した後に、放熱フィン８１とフィンベース５１とを一体化する方法がある。第２の方法として、放熱フィン８１とフィンベース５１とを一体化した後に、パワーモジュール部１１とフィンベース５１とを一体化する方法がある。第３の方法として、パワーモジュール部１１、フィンベース５１および、放熱フィン８１を同時に一体化する方法がある。いずれの方法においても、パワーモジュール部のモジュールベース１３を加圧する際に、フィンベース５１が塑性変形するのを抑制することができる。
【００４７】
また、パワーモジュール部１１とフィンベース５１とを一体化する際には、モジュールベース１３の凹凸部１５とベース部５３の凹凸部５５との位置合わせが重要になる。凹凸部１５と凹凸部５５との位置関係がずれていると、次のような問題点が想定される。モジュールベース１３の凹部１５ａにベース部５３の凸部５５ａを挿入することができないおそれがある。また、たとえ、凹部１５ａに凸部５５ａを挿入できたとしても、パワーモジュール部１１とフィンベース５１とを一体化するために必要となる加圧力が大きくなってしまい、チップ２７の特性が変化してしまうことが想定される。さらに、チップ２７あるいはパワーモジュール部１１が破壊されてしまうことが想定される。
【００４８】
このような想定される問題点を未然に防ぐには、パワーモジュール部１１（モジュールベース１３）を第１クランプ治具９９ａによって保持するとともに、フィンベース５１（ベース部５３）を第２クランプ治具９９ｂによって保持した状態で、パワーモジュール部１１とフィンベース５１とを一体化することが望ましい。第１クランプ治具９９ａ、９９ｂを使用することで、パワーモジュール部１１とフィンベース５１との位置合わせ精度を向上させることができる。
【００４９】
この観点から、後述する、フィンベースの塑性変形を防止するために設ける変形防止部６９（図５５参照）と、支持機構９５（図５７参照）とについては、モジュールベース１３、フィンベース５１のそれぞれを治具クランプによって保持できるように、設計しておく必要がある。
【００５０】
パワーモジュール部１１がフィンベース５１に向かって押圧される際には、プレス刃９７に接触しているかしめ部６５が押し広げられて、放熱フィン８１のそれぞれがかしめられる。こうして、図１８に示すように、パワーモジュール部１１がフィンベース５１に接合されるとともに、複数の放熱フィン８１がフィンベース５１に一体的に装着されて、ヒートシンク一体型のパワーモジュールとしての半導体装置が完成する。
【００５１】
上述した半導体装置では、パワーモジュール部１１とフィンベース５１とを別体とすることで、半導体装置の生産性を向上させることができる。このことについて、第４比較例に係る半導体装置と比べて説明する。
【００５２】
図２６に示すように、第４比較例に係る半導体装置５０１では、ベース板５０３の一方の表面上に絶縁シート５０５を介在させてリードフレーム５０７が配置されている。そのリードフレーム５０７に、はんだ５０９によってチップ５１１が接合されている。そのチップ５１１等がモールド樹脂５１３によって封止されている。一方、ベース板５０３の他方の表面側は露出しており、複数の放熱フィン５１５が装着されている。
【００５３】
半導体装置５０１では、使用される用途に応じた電力半導体素子が形成されたチップ５１１がベース板５０３に搭載されることになる。たとえば、発熱量が比較的多いチップ５１１が搭載された半導体装置５０１では、熱を効率的に放熱させるために、放熱フィン５１５には、より大きなサイズが求められる。また、放熱フィン５１５の枚数を増やすことが求められる。一方、発熱量が比較的少ないチップ５１１が搭載された半導体装置５０１では、放熱フィン５１５には、相応のサイズまたは枚数が求められる。
【００５４】
このため、第４比較例に係る半導体装置５０１では、装着される放熱フィン５１５のサイズあるいは枚数等に応じたベース板５０３を作成する必要がある。その結果、モールド樹脂５１３によってチップ５１１等を封止する際には、そのベース板５０３に応じたモールド金型が必要になり、生産性を阻害する要因の一つになる。
【００５５】
第４比較例に係る半導体装置５０１に対して、実施の形態に係る半導体装置１では、パワーモジュール部１１とフィンベース５１とが別体とされて、パワーモジュール部１１の発熱密度に応じたフィンベース５１がパワーモジュール部１１に接合される。このため、パワーモジュール部１１のモジュールベース１３として共通のモジュールベース１３を適用することができる。
【００５６】
ここで、図２７に示すように、パワーモジュール部の発熱密度（発熱密度Ａ＞発熱密度Ｂ）が異なる２種類の半導体装置１を想定する。この場合、発熱密度が異なるパワーモジュール部１１であっても、チップ等をモールド樹脂によって封止する際には、共通のモールド金型を適用して封止することができる。その結果、半導体装置１の生産性を向上させることができる。
【００５７】
一方、フィンベース５１としては、パワーモジュール部１１の発熱密度に応じたフィンベース５１を作成すればよく、たとえば、サイズの小さい放熱フィン８１ａをフィンベース５１に装着してもよい（図２７右欄の中段参照）。また、放熱フィンの枚数を減らした放熱フィン８１ｂをフィンベース５１に装着してもよい（図２７右欄の下段参照）。なお、発熱密度Ｂの半導体装置１では、発熱密度Ａに対応した放熱フィンを装着したフィンベースを適用してもよい（図２７右欄の上段参照）。このように、パワーモジュール部１１とフィンベース５１とが別体とされることで、放熱フィン８１の配置等のバリエーションを増やすことができる。
【００５８】
また、図１０および図１５に示すように、上述した半導体装置１では、フィンベース５１の放熱拡散部６１の四隅に抜き穴７１が形成されている。これにより、図２８に示すように、抜き穴７３のそれぞれにボルト８５を挿通して、半導体装置１を固定用シャーシ８３に固定することができる。さらに、フィンベース５１の放熱拡散部６１は、風路としての機能も兼ねている。
【００５９】
なお、実施の形態に係る半導体装置では、図２９に示すように、半導体装置１を固定用シャーシ８３に固定するために、放熱拡散部６１の外周部分には、かしめ部６５および凸壁部６３が形成されていない領域Ｒ１が配置されている。また、風路を確保する場合においても、放熱拡散部６１の外周部分には、かしめ部６５および凸壁部６３が形成されていない領域Ｒ１が配置されている。
【００６０】
しかしながら、半導体装置１としては、放熱拡散部６１にかしめ部６５および凸壁部６３が形成されていない領域Ｒ１を配置する必要は必ずしもない。図３０に示すように、放熱拡散部６１の外周部分に、かしめ部６５および凸壁部６３を形成してもよく、このような半導体装置１においても、上述した効果を得ることができる。
【００６１】
このことから、上述した半導体装置１のフィンベース５１は、パワーモジュール部１１のモジュールベース１３と接合される機能に加えて、以下の機能を備えている。フィンベース５１は、パワーモジュール部１１において発生した熱を、ベース部５３および放熱拡散部６１を介して放熱フィン８１へ熱伝導させて、放熱フィン８１から外部へ放熱させる機能を有する。また、フィンベース５１は、放熱フィン８１の風路を形成する機能を有する。さらに、フィンベース５１は、抜き穴７３を介してボルト８５を挿通させることによって、半導体装置１を固定用シャーシ８３に固定する仲介物としての機能を有する。
【００６２】
次に、実施の形態１に係る半導体装置の種々の変形例について説明する。各変形例に係る半導体装置では、図１等に示される半導体装置の構成と同一部材については同一符号を付し、必要である場合を除いてその説明を繰り返さないこととする。
【００６３】
（第１変形例）
第１変形例に係る半導体装置として、フィンベースのベース部に形成される凹凸部のパターンのバリエーションの一例について説明する。
【００６４】
上述した半導体装置では、ベース部５３に形成されている凹凸部５５は、Ｙ軸方向に沿って連続的に形成されたパターンとされるが、必ずしも連続的に形成されたパターンに限られるものではない。図３１に示すように、Ｙ軸方向に沿ってベース部５３に形成されている凸部５５ａにおいて、凸部が形成されていない箇所が設けられていてもよい。すなわち、ベース部５３の凸部５５ａに、不連続な部分を設けてもよい。
【００６５】
Ｙ軸方向に沿って延在する凸部５５ａにおいて、凸部が形成されていない箇所を設けることで、モジュールベース１３（凹部１５ａ）とフィンベース５１（凸部５５ａ）との接触面積を低減させることができる。接触面積が低減することで、パワーモジュール部１１をフィンベース５１に接合させる際のプレス荷重を低減することができ、モールド樹脂２９に封止されたチップ２７等へのダメージを抑制することができる。なお、モジュールベース１３の凹部１５ａ（図３参照）に、不連続な部分を設けても、接触面積を低減することができ、プレス荷重を低減することができる。
【００６６】
一方、モジュールベース１３とフィンベース５１との接触面積を低減させ過ぎると、接触熱抵抗を増大させることなる。このため、熱設計に基づいて、所望のモジュールベース１３とフィンベース５１との接触面積が得られるように、フィンベース５１の凸部５５ａの長さを設定する必要がある。
【００６７】
また、半導体装置１では、フィンベース５１のベース部５３の凹凸部５５と同様に、パワーモジュール部１１のモジュールベース１３に形成される凹凸部１５のパターンについても、Ｙ軸方向に沿って形成されている凹部１５ａ（図３参照）において、凹部が形成されていない不連続な箇所が設けられていてもよい。
【００６８】
さらに、フィンベース５１の放熱拡散部６１に形成されているかしめ部６５（図３２参照）パターンについても、Ｙ軸方向に沿って形成されているかしめ部６５において、かしめ部が形成されていない箇所が設けられていてもよい。
【００６９】
ベース部５３の凸部５５ａのＹ軸方向の長さ、モジュールベース１３の凹部１５ａのＹ軸方向の長さ、放熱拡散部６１のかしめ部６５のＹ軸方向の長さは、いずれも熱設計等に基づいて適切な長さに設定することができる。なお、かしめ部６５のＹ軸方向の長さに関する効果については、後述する。
【００７０】
（第２変形例）
第２変形例に係る半導体装置として、モジュールベース等に形成される凹凸部のパターンのバリエーションの一例について説明する。
【００７１】
上述した半導体装置１（図１参照）では、モジュールベース１３に形成されている凹凸部１５は、Ｙ軸方向に沿って連続的に形成されたパターンとされるが、必ずしも連続的に形成されたパターンに限られるものではない。
【００７２】
図３３および図３４に示すように、モジュールベース１３にピン状の凸部１５ｂが形成されていてもよい。この場合には、図３５および図３６に示すように、フィンベース５１のベース部５３には、ピン状の凹部５５ｂが形成されている。モジュールベース１３のピン状の凸部１５ｂを、ベース部５３のピン状の凹部５５ｂに嵌合させることで、パワーモジュール部１１をフィンベース５１に接合させることができ、上述した半導体装置１（図１参照）と同様の効果を得ることができる。
【００７３】
（第３変形例）
第３変形例に係る半導体装置として、放熱拡散部のバリエーションの一例について説明する。
【００７４】
図３７に、半導体装置１の、一部断面を含む分解側面図を示す。図３７に示すように、第３変形例に係る半導体装置１では、放熱拡散部６１において、かしめ部６５と凸壁部６３とが交互に配置されている。
【００７５】
図３８に示すように、かしめ部６５をかしめる際には、フィン挿入溝６７に放熱フィン８１が挿入された状態で、上方から押圧（プレス荷重）し、プレス刃９７によってかしめ部６５を塑性変形させることによって、放熱フィン８１が放熱拡散部６１に一体的に装着されることになる。
【００７６】
第３変形例に係る半導体装置１では、上述した半導体装置１（図１参照）の場合と比べて、より少ないプレス荷重をもって複数の放熱フィン８１をかしめることができる。ここで、第３変形例に係る半導体装置１に装着される放熱フィン８１の枚数が、図１に示される半導体装置１に装着される放熱フィン８１の枚数と同じであるとする。
【００７７】
そうすると、図３７に示される半導体装置のかしめ部６５の数は、図１に示される半導体装置１のかしめ部６５の数の半分になる。塑性変形させるかしめ部の数が半減することで、かしめ部をかしめる際のプレス荷重を、半減させることができる。
【００７８】
これにより、かしめ部６５をかしめる際のプレス荷重によって、モールド樹脂２９が割れる等の損傷を受けることが抑制される。また、プレス荷重によってチップ２７の特性が変化する等の不良の発生率を大幅に低減することができる。
【００７９】
特に、パワーモジュール部１１をフィンベース５１へ接合させるのと、放熱フィン８１をフィンベース５１に装着させるのとを、一度のプレスによって行うとすると、より大きなプレス荷重をもって行う必要がある。一方、パワーモジュール部１１をフィンベース５１へ接合させるのと、放熱フィン８１をフィンベース５１に装着させるのとを、個々に行おうとすると、パワーモジュール部１１（チップ２７）には、プレス荷重が２回加えられることになる。このため、モールド樹脂２９に封止されたチップ２７へのプレス荷重による特性への影響を低減するためには、プレス荷重をできるだけ小さくすることが重要になる。
【００８０】
（第４変形例）
第４変形例に係る半導体装置として、モジュールベースに形成される凹凸部のパターンのバリエーションの他の例について説明する。
【００８１】
上述した半導体装置１（図１参照）では、モジュールベース１３に凹部１５ａが形成され、ベース部５３に凸部５５ａが形成されているが、これに限られるものではない。
【００８２】
図３９に示すように、モジュールベース１３に凸部１７ａ（凹凸部１７）が形成され、ベース部５３に凹部５７ａ（凹凸部５７）が形成されていてもよい。モジュールベース１３およびベース部５３（フィンベース５１）のいずれに凸部（または凹部）を設けるかということについては、モジュールベース１３およびベース部５３のいずれを塑性変形させて接合させるかという点に基づいて決定するのが望ましい。具体的には、モジュールベース１３をなす材料の硬さとフィンベース５１をなす材料の硬さとに基づいて、決定するのが望ましい。
【００８３】
たとえば、凸部によって凹部を塑性変形させることでパワーモジュール部１１をフィンベース５１に接合させる場合には、凸部を設ける部材の材料の硬さを凹部を設ける部材の材料の硬さよりも硬くすることで、より低いプレス荷重をもって接合させることが可能になる。
【００８４】
（第５変形例）
第５変形例に係る半導体装置として、モジュールベース等に形成される凹凸部のパターンのバリエーションのさらに他の例について説明する。
【００８５】
上述した半導体装置１（図１または図３９参照）では、モジュールベース１３（ベース部５３）に形成される凸部１７ａ（凸部５５ａ）の高さは、いずれも同じ高さとされる。一方、ベース部５３（モジュールベース１３）に形成される凹部５７ａ（凹部１５ａ）の深さは、いずれも同じ深さとされ、凸部１７ａ（凸部５５ａ）の高さに対応する深さとされる。
【００８６】
凸部１７ａ（凸部５５ａ）の高さとしては、いずれも同じ高さにする必要はなく、一部の凸部１７ａ（凸部５５ａ）の高さを、他の凸部１７ａ（凸部５５ａ）の高さよりも高くしてもよい。また、凹部５７ａ（凹部１５ａ）の深さについても、同じ深さにする必要はなく、一部の凹部５７ａ（凹部１５ａ）の深さを、他の凹部５７ａ（凹部１５ａ）の深さよりも深くしてもよい。
【００８７】
図４０に示すように、たとえば、両端に位置する凸部１７ｂの高さを、他の凸部１７ａの高さよりも高くしてもよい。また、その凸部１７ｂに対応するように、両端に位置する凹部５７ｂの深さを、他の凹部５７ａの深さよりも深くしてもよい。
【００８８】
両端に位置する凸部１７ｂの高さを相対的に高くすることで、パワーモジュール部１１をフィンベース５１に接合させる際に、相対的に高さの高い凸部１７ｂが、他の凸部１７ａよりも速く凹部に５７ｂに嵌め込まれることになる。これにより、パワーモジュール部１１とフィンベース５１との水平方向の位置合わせを容易に行うことができる。その結果、モジュールベース１３とフィンベース５１とが相対的に傾くことなく、パワーモジュール部１１をフィンベース５１に接合することができる。
【００８９】
モジュールベース１３とフィンベース５１とが相対的に傾いた状態では、放熱フィン８１をフィン挿入溝６７に配置してかしめ部６５をかしめる際に、放熱フィン８１とかしめ部６３とが接触する長さと放熱フィン８１と凸壁部６５とが接触する長さとが、相対的に短くなる箇所が発生し、放熱フィンの挿入方向（垂直）の保持強度が低下するおそれがある。さらに、接触熱抵抗が大きくなり、ヒートシンクとしてのフィンベース５１および放熱フィン８１等の放熱性能が低下するおそれがある。
【００９０】
第５変形例に係る半導体装置１では、モジュールベース１３とフィンベース５１とが相対的に傾くことなく、パワーモジュール部１１をフィンベース５１に接合できることで、このような想定される問題点を回避することができる。
【００９１】
なお、図３３〜図３６に示される第２変形例に係る半導体装置１においても、複数のピン状の凸部５５ｂのうち、一部のピン状の凸部５５ｂを他のピン状の凸部５５ｂの高さよりも高くしてもよい。また、複数のピン状の凹部１５ｂのうち、一部の凹部１５ｂの深さを、他の凹部１５ｂの深さよりも深くしてもよい。この場合にも、上述した効果と同様の効果を得ることができる。
【００９２】
（第６変形例）
第６変形例に係る半導体装置として、放熱フィンの配置のバリエーションの一例について説明する。
【００９３】
上述した半導体装置１（図１参照）では、フィンベース５１におけるベース部５３の凹凸部５５と放熱拡散部６１におけるかしめ部６５とが、いずれもＹ軸方向に沿って延在しているが、凹凸部５５とかしめ部６５とを同じ方向に延在させる必要はない。
【００９４】
図４１、図４２および図４３に示すように、たとえば、ベース部５３の凹凸部５５をＹ軸方向に沿って延在させ、かしめ部６５をＸ軸方向に沿って延在させてもよい。
【００９５】
半導体装置１が適用される機器（図示せず）では、固定用シャーシのサイズは規定されており、そのシャーシに設置される半導体装置の放熱フィンのサイズには、固定用シャーシのサイズに応じた制約が求められることになる。このため、ベース部５３の凹凸部５５と放熱拡散部６１のかしめ部６５とが同じ方向に延在する構造では、放熱フィン８１を固定用シャーシに設置できない場合も想定される。
【００９６】
そのような場合において、第５変形例に係る半導体装置１では、かしめ部６５を延在させる方向を凹凸部５５が延在する方向と交差させることことで、放熱フィンを固定用シャーシに設置することができる可能性を有している。
【００９７】
（第７変形例）
第７変形例に係る半導体装置として、フィンベースのバリエーションの一例について説明する。
【００９８】
図４４に示すように、フィンベース５１の放熱拡散部６１に、凸部５５ａだけを設けるようにしてもよい。この場合には、パワーモジュール部１１をフィンベース５１に接合等する際に、放熱拡散部６１の厚さを変形しない厚さにしておくことが望ましい。
【００９９】
次に、上述した各変形例を含む半導体装置１に適用されているモジュールベース１３とフィンベース５１（図１等参照）等の材料等について説明する。モジュールベース１３およびフィンベース５１は、機械加工、ダイキャスト加工、鍛造加工、押出加工等によって形成される。モジュールベース１３およびフィンベース５１の材質として、アルミニウムまたはアルミニウム合金が適用される。
【０１００】
放熱フィン８１の材質として、アルミニウムまたはアルミニウム合金等が適用される。放熱フィン８１は、板材として形成されることで、加工性と放熱性とを両立させることが可能とされる。その放熱フィン８１の表面にエンボス加工を施し、表面に微小な凹みを形成することで、放熱フィン８１の表面積を増加させることができ、放熱性能を向上させることができる。なお、エンボス加工は、放熱フィンをプレス加工する際の金型によって行うことができる。このため、生産コストを上げることなくエンボス加工を施すことができる。
【０１０１】
また、放熱フィン８１の表面に微小なエンボス加工を施すことで、放熱フィン８１が積層された場合の放熱フィン８１間同士の接触面積が減少させることができる。放熱フィン８１を放熱拡散部６１に装着させる際には、複数の放熱フィン８１が積層された状態から、１枚づつ放熱フィン８１が取り出され、その取り出された放熱フィン８１がフィン挿入溝６７に挿入されることになる。
【０１０２】
このため、積層された放熱フィン８１間同士の接触面積が減少することで、放熱フィン８１間同士の表面摩擦が低減し、放熱フィン８１を取り出しやすくすることができる。その結果、生産設備の簡略化、生産タクトの短縮を図ることができ、生産性を向上させることができる。
【０１０３】
さらに、放熱フィン８１の表面に微小なエンボス加工を施すことで、かしめ部６５をかしめて、放熱フィン８１を放熱拡散部６１に装着した際には、放熱フィン８１における微小な凹みが形成されている部分では、凹みが形成されていない部分に比べて、かしめ部６５がより深い位置にまで浸入することになる。これにより、アンカー効果が発揮されて、放熱フィンがかしめ部６５から抜けにくくすことができる。すなわち、放熱フィン８１の挿入方向の摩擦が大きくなり、放熱フィン８１の挿入方向（垂直方向）の引張強度を向上させることができる。
【０１０４】
特に、フィンベース５１の硬さよりも放熱フィン８１の硬さが硬い場合には、放熱フィン８１を装着した後のかしめ部６５では、放熱フィン８１の表面に食い込むというよりは、放熱フィン８１の表面に倣うようにかしめ部６５が塑性変形を起こすため、放熱フィン８１の挿入方向の引張強度は向上することになる。
【０１０５】
一方、フィンベース５１の硬さが放熱フィン８１の硬さよりも硬い場合には、放熱フィン８１を装着した後のかしめ部６５では、かしめ部６５が放熱フィン８１の表面に食い込んで、放熱フィン８１が塑性変形を起こし、塑性変形したかしめ部６５と放熱フィン８１とでアンカー効果が発揮される。したがって、フィンベース５１の硬さが放熱フィン８１の硬さよりも硬い場合には、放熱フィン８１の表面に設けたエンボス加工による効果は小さいと考えられる。
【０１０６】
このことから、放熱フィン８１をフィンベース５１に装着した後の放熱フィン８１の強度の観点では、放熱フィン８１の表面にエンボス加工を施すことによって微小な凹みを形成する（要件Ａ）か、フィンベース５１の材質と放熱フィン８１の材質とを異なる材質とし、フィンベース５１の硬さを放熱フィン８１の硬さよりも硬くすることが望ましい（要件Ｂ）。要件Ａおよび要件Ｂの少なくとも１つが満たされることで、放熱フィン８１をフィンベース５１に装着した後の放熱フィン８１の挿入方向の引張強度を向上させることができる。
【０１０７】
発明者らは、放熱フィン８１をフィンベース５１に装着した後の放熱フィン８１の挿入方向（垂直方向）の引張強度を評価した。その評価について説明する。具体的には、フィンベース５１をアルミニウム６０００系の材料から形成し、放熱フィン８１をアルミニウム１０００系の材料から形成した場合（条件Ａ）について評価を行った。また、比較例として、フィンベース５１および放熱フィン８１の双方をアルミニウム１０００系の材料から形成した場合（条件Ｂ）について評価を行った。
【０１０８】
その結果を図４５に示す。図４５に示されるＡ６０００系ベースとは、条件Ａの結果である。Ａ１０００系ベースとは、条件Ｂ（比較例）の結果である。なお、条件Ａおよび条件Ｂのそれぞれについて、放熱フィン３枚分を評価した。図４５に示すように、条件Ａの場合の引張強度は、条件Ｂ（比較例）の場合の引張強度に比べて、約２．５〜３．６倍程度高くなっていることがわかった。
【０１０９】
なお、モジュールベース１３、フィンベース５１および放熱フィン８１の材料としては、アルミニウムまたはアルミニウム合金に限られるものではない。たとえば、放熱の観点からでは、放熱フィンをアルミニウム系の材料よりも熱伝導率が大きい銅系の板材から形成することで、アルミニウム系の材料から形成された放熱フィンの場合よりも、放熱能力をさらに向上させることができる。
【０１１０】
また、上述した半導体装置では、放熱フィン８１をフィン挿入溝６７に挿入し、かしめ部６５をかしめることによって、放熱フィン８１が放熱拡散部６１に一体的に装着される。このように、かしめ加工によって放熱フィン８１とフィンベース５１とを一体化したかしめヒートシンクの場合、ダイキャスト加工または押出加工において加工制約となるアスペクト比を自由に設計（設定）することができる。その結果、ヒートシンクの放熱能力を向上させることができる。
【０１１１】
ここで、たとえば、放熱フィン８１の厚さを０．６〜１．０ｍｍ、フィンベース５１のフィン挿入溝６７の幅を０．８ｍｍ〜１．２ｍｍ、放熱フィン８１のピッチを３〜５ｍｍとするヒートシンクを想定する。このようなヒートシンクは、ダイキャスト加工と押出加工とでは形成することは不可能に近いとされる。
【０１１２】
しかしながら、フィンベースと放熱フィンとを別体として形成し、かしめ加工により一体化することで、そのようなヒートシンクを形成することが可能になる。なお、上述した厚さ、幅およびピッチの数値は一例であって、この数値に限られるものではなく、仕様用途に基づいて適切な数値を設定することができる。
【０１１３】
また、発明者らは、モジュールベース１３およびフィンベース５１のそれぞれの表面粗さと接触熱抵抗との関係を評価したところ、表面粗さ（Ｒａ）が０．５μｍ程度の極めて平滑性の高い表面粗さにすることで、接触熱抵抗が軽減されることを確認した。なお、表面粗さ（Ｒａ）は、算術平均粗さである。
【０１１４】
また、放熱フィン８１の表面粗さについては、圧延材を用いることで、表面粗さ（Ｒａ）が０．３μｍ程度の表面を、生産コストを上げることなく実現できることがわかった。発明者らは、これらの表面粗さが小さい方が、放熱性能を向上させることができることを確認した。
【０１１５】
実施の形態２．
実施の形態２に係る半導体装置について説明する。図４６に、半導体装置の一部断面を含む分解側面図を示す。図４６に示すように、半導体装置１は、パワーモジュール部１１、フィンベース５１および複数の放熱フィン８１を備えている。
【０１１６】
フィンベース５１では、放熱拡散部６１の厚さＴＨが、ベース部５３の厚さＴＢよりも厚く設定されている。なお、これ以外の構成については、図１等に示す半導体装置と同様なので、同一部材には同一符号を付し、必要である場合を除きその説明を繰り返さないこととする。
【０１１７】
次に、上述した半導体装置の製造方法の一例について説明する。図１６に示す工程と同様の工程により、図４７に示すように、パワーモジュール部１１を形成する。また、フィンベース５１および放熱フィン８１を用意する。モジュールベース１３の凹凸部１５と、ベース部の凹凸部５５とが互いに対向するように、パワーモジュール部１１とフィンベース５１とを配置する。また、フィンベース５１の放熱拡散部６１における各フィン挿入溝６７に、放熱フィン８１を挿通する。
【０１１８】
次に、図４８に示すように、複数の放熱フィン８１における放熱フィン８１と放熱フィン８１との隙間のうち、かしめ部６５が位置する隙間にプレス刃９７を挿入し、かしめ部６５に接触させる。次に、パワーモジュール部１１を上方から押圧する（矢印参照）。
【０１１９】
パワーモジュール部１１が押圧（プレス荷重）されることで、図４９に示すように、パワーモジュール部１１の凹凸部１５（凹部１５ａ）とフィンベース５１のベース部５３の凹凸部５５（凸部５５ａ）とが嵌合し、パワーモジュール部１１がフィンベース５１に接合される。また、パワーモジュール部１１がフィンベース５１に向かって押圧されることで、プレス刃９７に接触しているかしめ部６５が押し広げられて、放熱フィン８１のそれぞれがかしめられる。
【０１２０】
こうして、パワーモジュール部１１がフィンベース５１に接合されるとともに、複数の放熱フィン８１がフィンベース５１に一体的に装着されて、パワーモジュールとしての半導体装置が完成する。
【０１２１】
上述した半導体装置では、放熱拡散部６１の厚さＴＨが、ベース部５３の厚さＴＢよりも厚く設定されている。これにより、プレス荷重を加える際に、放熱拡散部６１が変形するのを阻止することができる。このことについて説明する。
【０１２２】
第５比較例として、放熱拡散部６６１の厚さが薄い場合には、パワーモジュール部１１とフィンベース６５１とを一体化（かしめ加工）する際に加えるプレス荷重に対して、放熱拡散部６６１の剛性が不足することが考えられる（図５０参照）。その場合には、図５０に示すように、放熱拡散部６６１が塑性変形し、放熱拡散部６６１が湾曲形状になってしまうことが懸念される。
【０１２３】
このような放熱拡散部６６１の塑性変形を防止するため、上述した半導体装置１（図４６参照）では、放熱拡散部６１の厚さＴＨが、ベース部５３の厚さＴＢよりも厚いフィンベース５１が適用されている。
【０１２４】
フィンベース５１の放熱拡散部６１に必要とされる厚さに関しては、フィンベース５１の材質、プレス荷重、許容される放熱拡散部６１の変形量によって異なる。放熱拡散部６１が許容される変形量よりも大きく変形した場合には、次のような問題が発生するおそれがあることが考えられる。
【０１２５】
まず、放熱拡散部６１の四隅に設けた抜き穴７３の位置が、固定用シャーシ８３（図２８参照）における固定すべき位置からずれてしまい、半導体装置１（フィンベース５１）を、固定用シャーシ８３に固定することができない問題が生じることが考えられる（問題点Ａ）。
【０１２６】
また、放熱フィン８１をフィンベース５１（放熱拡散部６１）に装着する工程（かしめ工程）において、フィン挿入溝６７の位置が、放熱フィン８１が装着されるべき位置からずれてしまい、放熱フィン８１をフィン挿入溝６７に挿入できない問題が生じることが考えられる（問題点Ｂ）。
【０１２７】
さらに、たとえ、放熱フィン８１をフィン挿入溝６７に挿入できた場合であっても、放熱フィン８１とかしめ部６５等とが接触する部分（接触面積）が少なく、放熱フィン８１の挿入方向の引張強度が低下する問題が生じることが考えられる（問題点Ｃ）。
【０１２８】
問題点Ｂおよび問題点Ｃについて、より詳しく説明する。図５０に示すように、放熱拡散部６６１が塑性変形を起こして、放熱拡散部６６１が湾曲形状となった場合を想定する。その場合には、図５１に示すように、放熱フィン８１を放熱拡散部６６１へ装着させる工程（かしめ工程）において、放熱フィン８１をフィン挿入溝６７の奥にまで挿入させることができず、放熱拡散部６６１の下面に接触しない放熱フィン８１が発生することがある。
【０１２９】
なお、かしめ加工の際には、放熱フィン８１を放熱拡散部６６１の下面（フィン接触面）に押し付ける機構が設けられているが、この機構に、放熱フィン８１を付勢する弾性材を取り付けた場合であっても、放熱拡散部６６１の塑性変形量によっては、図５１に示すように、放熱拡散部６６１の下面（フィン接触面）に接触しない放熱フィン８１が発生することが想定される。
【０１３０】
また、放熱拡散部６６１が塑性変形した場合、フィン挿入溝６７の位置が、放熱拡散部６６１が塑性変形する前の位置からずれてしまう。この場合、かしめ加工の際には、放熱フィン８１の位置が固定されているため、放熱フィン８１が対応するフィン挿入溝６７に挿入することができないことが考えられ、生産性が悪化することが想定される。
【０１３１】
一方、放熱フィン８１を対応するフィン挿入溝６７に挿入することができた場合であっても、放熱フィン８１と放熱拡散部６６１との接触長さにばらつきが生じることがある。図５２および図５３に示すように、放熱拡散部６１の中央部では、放熱拡散部６６１の凸壁部６３と放熱フィン８１とは、十分な接触長さが確保される。ところが、放熱拡散部６６１の端では、放熱拡散部６６１の凸壁部６３と放熱フィン８１とは、接触長さが短くなってしまう。
【０１３２】
この接触長さが短くなることで、放熱拡散部６６１の凸壁部６３と放熱フィン８１との間の接触熱抵抗が大きくなってしまう。その結果、フィンベース６５１と放熱フィン８１とから構成されるヒートシンクの熱抵抗が悪化することになる。
【０１３３】
また、図５３に示すように、放熱拡散部６６１の凸壁部６３と放熱フィン８１との接触長さが短い場合には、放熱フィン８１に加わる外力ＦＲに対して、強度が小さくなってしまう。なお、図５３では、外力ＦＲの向きとして、放熱フィン８１の外側から加えている場合が示されているが、放熱フィン８１の内側から加えた場合も、風路方向から加えた場合も同様に、強度が小さくなる。
【０１３４】
このような生産上と性能上の問題点が想定されることから、放熱フィン８１をフィンベース５１（放熱拡散部６１）に装着する工程（かしめ工程）においては、放熱拡散部６１が塑性変形し湾曲してしまうのを避けなければならない。
【０１３５】
上述した半導体装置（図４６参照）では、ベース部５３の厚さＴＢよりも放熱拡散部６１の厚さＴＨを厚くしたフィンベース５１が適用されていることで、放熱拡散部６１の剛性が高められて、放熱拡散部６１の塑性変形を抑制することができる。
【０１３６】
次に、実施の形態２に係る半導体装置の変形例について説明する。各変形例に係る半導体装置では、図４６等に示される半導体装置の構成と同一部材については同一符号を付し、必要である場合を除いてその説明を繰り返さないこととする。
【０１３７】
（第１変形例）
第１変形例に係る半導体装置として、フィンベースのバリエーションの一例について説明する。
【０１３８】
図５４に、半導体装置１の、一部断面を含む分解側面図を示す。図５４に示すように、第１変形例に係る半導体装置では、フィンベース５１の放熱拡散部６１におけるパワーモジュール部１１が接合される側に、厚みを有する変形防止部６９が設けられている。
【０１３９】
図５５および図５６に示すように、変形防止部６９は、ベース部５３を挟み込むように、Ｙ軸方向に距離を隔てて２ヶ所に配置されている。２つの変形防止部６９のそれぞれは、Ｘ軸方向に沿って延在する。変形防止部６９はベース部５３とともに、放熱拡散部６１に一体的に形成されている。
【０１４０】
第１変形例に係る半導体装置１では、放熱拡散部６１に、厚みを有する変形防止部６９が設けられていることで、パワーモジュール部１１をフィンベース５１に接合する際に、放熱拡散部６１が塑性変形して湾曲するのを抑制することができる。
【０１４１】
なお、変形防止部６９を放熱拡散部６１に設ける代わりに、放熱拡散部６１を支持する支持機構を加工治具に設けるようにしても、放熱拡散部６１の塑性変形を抑制することができる。図５７に示すように、加工治具に設けた支持機構９５を放熱拡散部６１に当接させて放熱拡散部６１を支持した状態で、パワーモジュール部１１をフィンベース５１に接合することで、放熱拡散部６１が塑性変形して湾曲するのを抑制することができる。
【０１４２】
（第２変形例）
第２変形例に係る半導体装置として、フィンベースのバリエーションの他の例について説明する。
【０１４３】
図５８および図５９に示すように、第２変形例に係る半導体装置では、フィンベース５１の放熱拡散部６１に、かしめ部６５と凸壁部６３とが形成されていない領域７１が設けられている。その領域７１は、ベース部５３が配置されている領域と対向する位置に設けられている。
【０１４４】
第２変形例に係る半導体装置では、放熱拡散部６１に、かしめ部６５と凸壁部６３とが形成されていない領域７１が設けられていることで、パワーモジュール部１１をフィンベース５１に接合する際に、放熱拡散部６１が塑性変形して湾曲するのを抑制することができる。
【０１４５】
図６０に示すように、パワーモジュール部１１をフィンベース５１に接合する際に、かしめ部６５と凸壁部６３とが形成されていない領域７１に、プレス荷重受９１を当接させる。これにより、放熱拡散部６１がプレス荷重受９１に支持されて、放熱拡散部６１が塑性変形して湾曲するのを抑制することができる。
【０１４６】
（第３変形例）
放熱拡散部６１に設けられる、かしめ部６５と凸壁部６３とが形成されていない領域７１（プレス荷重受）の面積は、放熱性の観点からできるだけ小さい方が望ましい。また、図６０に示すように、かしめ部６５と凸壁部６３とが形成されていない領域７１をモジュールベース１３の直下に設けた場合には、パワーモジュール部１１に搭載されたチップ２７の直下に放熱フィンが配置されないことになる。このため、放熱性能が低下することが想定されるため、図６１に示すように、たとえば、かしめ部６５と凸壁部６３とが形成されていない領域７１を複数に分けて設けるようにしてもよい。
【０１４７】
（第４変形例）
また、パワーモジュール部１１、フィンベース５１および放熱フィン８１を、２回のかしめ工程によって一体化してもよい。具体的には、まず、パワーモジュール部１１（モジュールベース１３）とフィンベース５１とを一体化し、次に、フィンベース５１（放熱拡散部６１）と放熱フィン８１とを一体化してもよい。
【０１４８】
フィンベース５１は、機械加工、ダイキャスト加工または鍛造加工等によって製作される。このため、図６２に示すように、放熱拡散部６１に設けられた凸壁部６３の高さが、寸法公差内においてばらついてしまうことがある。この状態で、凸壁部６３とプレス荷重受９１とで、モジュールベース１３とベース部５３とをかしめる際の荷重を受けようとすると、高さの高い凸壁部６３に応力が集中してしまい、凸壁部６３が変形してしまうことが想定される。
【０１４９】
そこで、フィンベース５１を製作する際に、図６３に示すように、あらかじめ、凸壁部６３の高さを、かしめ部６５の高さよりも高くしておく。次に、図６４および図６５に示すように、かしめ部６５から突出している凸壁部６３の部分を、たとえば、スライス工程によって切削し、凸壁部６３の高さをかしめ部６５の高さに揃える。
【０１５０】
次に、図６６に示すように、パワーモジュール部１１（モジュールベース１３）とフィンベース５１とを一体化する。このとき、凸壁部６３、かしめ部６５およびプレス荷重受９１とで、モジュールベース１３とベース部５３とをかしめる際の荷重を受けることができる。これにより、フィンベース５１にかしめ部６５と凸壁部６３とが形成されていない領域７１を設けなくても、パワーモジュール部１１とフィンベース５１とを一体化することができる。その後、放熱フィン８１（図示せず）をフィンベース５１の放熱拡散部６１にかしめることにより、パワーモジュール部１１、フィンベース５１および放熱フィン８１が一体化される。
【０１５１】
フィンベース５１と放熱フィン８１とから構成されるヒートシンクでは、放熱拡散部６１の凸壁部６３と放熱フィンとが接触する１箇所あたりの接触熱抵抗が、放熱フィンの枚数に対応する箇所分だけ並列接続されていることになる。このため、放熱フィンの枚数が多いヒートシンクの全体では、熱抵抗は、１箇所あたりの熱抵抗の逆数の総和の逆数になり、部分的に接触熱抵抗が大きくなっても、熱抵抗への影響は微小なものになる。
【０１５２】
実施の形態３．
実施の形態３に係る半導体装置について説明する。図６７に、半導体装置の、一部断面を含む分解側面図を示す。図６７に示すように、半導体装置１は、パワーモジュール部１１、フィンベース５１および複数の放熱フィン８１を備えている。
【０１５３】
モジュールベース１３とベース部５３との間に、熱伝導性接着剤９３または熱伝導グリスが介在されている。なお、これ以外の構成については、図１等に示す半導体装置と同様なので、同一部材には同一符号を付し、必要である場合を除きその説明を繰り返さないこととする。
【０１５４】
上述した半導体装置１では、モジュールベース１３とベース部５３との間の接触熱抵抗を、熱伝導性接着剤９３または熱伝導グリスによって低減することができる。また、熱伝導性接着剤９３等を用いることで、モジュールベース１３とベース部５３との接合強度がある程度確保されて、モジュールベース１３に設けられる凹凸部１５の数とベース部５３に設けられる凹凸部５５の数を減らすことができる。凹凸部１５、５５の数を減らせることで、モジュールベース１３とベース部５３とを接合（かしめ加工）する際のプレス荷重を低減することができる。これにより、フィンベース５１の放熱拡散部６１が、塑性変形して湾曲するのを抑制することができる。
【０１５５】
次に、実施の形態３に係る半導体装置の変形例について説明する。変形例に係る半導体装置では、図６７に示される半導体装置の構成と同一部材については同一符号を付し、必要である場合を除いてその説明を繰り返さないこととする。
【０１５６】
（変形例）
図６８に、半導体装置の一部断面を含む分解側面図を示す。図６８に示すように、変形例に係る半導体装置１では、モジュールベース１３とベース部５３とが熱伝導性接着剤９３によって接合（保持）されている。
【０１５７】
モジュールベース１３とベース部５３との接合強度（保持強度）として、熱伝導性接着剤９３のみで接合強度が確保される場合には、凹凸部１５、５５（図６７参照）は不要とされ、モジュールベース１３とベース部５３とを、熱伝導性接着剤９３によって接合（保持）してもよい。
【０１５８】
なお、各実施の形態において説明した半導体装置については、必要に応じて種々組み合わせることが可能である。
【０１５９】
今回開示された実施の形態は例示であってこれに制限されるものではない。本発明は上記で説明した範囲ではなく、請求の範囲によって示され、請求の範囲と均等の意味および範囲でのすべての変更が含まれることが意図される。
【産業上の利用可能性】
【０１６０】
本発明はヒートシンク一体型の半導体装置（パワーモジュール）に有効に利用される。
【符号の説明】
【０１６１】
１  半導体装置、１１  パワーモジュール部、１３  モジュールベース、１５  凹凸部、１５ａ、１５ｂ  凹部、１５ｆ  平坦部分、１７  凹凸部、１７ａ、１７ｂ  凸部、１７ｆ  平坦部分、２１  絶縁シート、２３  リードフレーム、２５  はんだ、２７  チップ、２９  モールド樹脂、５１  フィンベース、５３  ベース部、５５  凹凸部、５５ａ、５５ｂ  凸部、５７  凹凸部、５７ａ、５７ｂ  凹部、６１  放熱拡散部、６３  凸壁部、６５  かしめ部、６７  フィン挿入溝、６９  変形防止部、７１  領域、７３  抜き穴、８１、８１ａ、８１ｂ  放熱フィン、８３  シャーシ、８５  ボルト、９１  プレス荷重受、９３  熱伝導性接着剤、９５  支持機構、９７  プレス刃、９８  ヒータブロック、９９ａ  第１クランプ治具、９９ｂ  第２クランプ治具、ＴＢ、ＴＨ  厚さ、ＦＲ  外力、Ｒ１  領域。
【図１】
0006745904.tif 000002
【図２】
0006745904.tif 000003
【図３】
0006745904.tif 000004
【図４】
0006745904.tif 000005
【図５】
0006745904.tif 000006
【図６】
0006745904.tif 000007
【図７】
0006745904.tif 000008
【図８】
0006745904.tif 000009
【図９】
0006745904.tif 000010
【図１０】
0006745904.tif 000011
【図１１】
0006745904.tif 000012
【図１２】
0006745904.tif 000013
【図１３】
0006745904.tif 000014
【図１４】
0006745904.tif 000015
【図１５】
0006745904.tif 000016
【図１６】
0006745904.tif 000017
【図１７】
0006745904.tif 000018
【図１８】
0006745904.tif 000019
【図１９】
0006745904.tif 000020
【図２０】
0006745904.tif 000021
【図２１】
0006745904.tif 000022
【図２２】
0006745904.tif 000023
【図２３】
0006745904.tif 000024
【図２４】
0006745904.tif 000025
【図２５】
0006745904.tif 000026
【図２６】
0006745904.tif 000027
【図２７】
0006745904.tif 000028
【図２８】
0006745904.tif 000029
【図２９】
0006745904.tif 000030
【図３０】
0006745904.tif 000031
【図３１】
0006745904.tif 000032
【図３２】
0006745904.tif 000033
【図３３】
0006745904.tif 000034
【図３４】
0006745904.tif 000035
【図３５】
0006745904.tif 000036
【図３６】
0006745904.tif 000037
【図３７】
0006745904.tif 000038
【図３８】
0006745904.tif 000039
【図３９】
0006745904.tif 000040
【図４０】
0006745904.tif 000041
【図４１】
0006745904.tif 000042
【図４２】
0006745904.tif 000043
【図４３】
0006745904.tif 000044
【図４４】
0006745904.tif 000045
【図４５】
0006745904.tif 000046
【図４６】
0006745904.tif 000047
【図４７】
0006745904.tif 000048
【図４８】
0006745904.tif 000049
【図４９】
0006745904.tif 000050
【図５０】
0006745904.tif 000051
【図５１】
0006745904.tif 000052
【図５２】
0006745904.tif 000053
【図５３】
0006745904.tif 000054
【図５４】
0006745904.tif 000055
【図５５】
0006745904.tif 000056
【図５６】
0006745904.tif 000057
【図５７】
0006745904.tif 000058
【図５８】
0006745904.tif 000059
【図５９】
0006745904.tif 000060
【図６０】
0006745904.tif 000061
【図６１】
0006745904.tif 000062
【図６２】
0006745904.tif 000063
【図６３】
0006745904.tif 000064
【図６４】
0006745904.tif 000065
【図６５】
0006745904.tif 000066
【図６６】
0006745904.tif 000067
【図６７】
0006745904.tif 000068
【図６８】
0006745904.tif 000069